(57)【要約】【課題】顕微鏡及びオプション装置の操作が可能で、コントローラに接続されている装置に応じた画面が表示部に表示される、操作性に優れた顕微鏡用コントローラ及び該顕微鏡用コントローラを備えた顕微鏡システムを提供する。【解決手段】電動顕微鏡１０に接続可能な複数の装置の操作が可能な顕微鏡用コントローラ３０であって、前記装置に含まれるカメラ２０の接続の有無を判定し、カメラ２０が接続されていないときは接続されている前記装置の操作用アイコン３８及び動作情報３２ａ、３２ｂの少なくとも一方を表示部に表示する制御手段３１を有することを特徴とする顕微鏡用コントローラ３０。【選択図】図２
2011150192.tif 000002
【特許請求の範囲】
【請求項１】
電動顕微鏡に接続可能な複数の装置の操作が可能な顕微鏡用コントローラであって、
前記装置に含まれるカメラの接続の有無を判定し、カメラが接続されていないときは接続されている前記装置の操作用アイコン及び動作情報の少なくとも一方を表示部に表示する制御手段を有することを特徴とする顕微鏡用コントローラ。
【請求項２】
前記制御手段は、前記顕微鏡の動作情報を前記表示部に表示することを特徴とする請求項１に記載の顕微鏡用コントローラ。
【請求項３】
顕微鏡用コントローラの近傍における手の有無を検出するための手検出手段を備え、
前記制御手段は、前記手検出手段からの信号に基づき前記近傍における手の有無を判定して前記表示部に前記操作用アイコンを表示させることを特徴とする請求項１または２に記載の顕微鏡用コントローラ。
【請求項４】
前記手検出手段は、発光部と受光部とからなり、当該受光部は、前記手検出手段に対する手の位置に応じた検出信号を出力することを特徴とする請求項３に記載の顕微鏡用コントローラ。
【請求項５】
前記発光部と受光部とは一体に設けられていることを特徴とする請求項４に記載の顕微鏡用コントローラ。
【請求項６】
前記発光部は、所定の周波数で光を変調し、前記受光部は、前記変調された光のみを検出することを特徴とする請求項４または５に記載の顕微鏡用コントローラ。
【請求項７】
前記表示部は、前記操作用アイコンをタッチすることで当該操作用アイコンに対応する前記装置を操作可能なタッチパネルを有することを特徴とする請求項１から６のいずれか１項に記載の顕微鏡用コントローラ。
【請求項８】
電動顕微鏡に接続可能な複数の装置の操作が可能な顕微鏡用コントローラであって、
前記装置のうちのカメラのみが接続されていることを検出し、当該カメラで撮影された画像の操作用アイコン及び当該画像を取得したときの前記カメラの動作情報のうち少なくとも一方を表示部に表示する制御手段とを有することを特徴とする顕微鏡用コントローラ。
【請求項９】
請求項１から８のいずれか１項に記載の顕微鏡用コントローラを備えた顕微鏡システム。
【発明の詳細な説明】
【技術分野】
【０００１】
本発明は、顕微鏡用コントローラ、及び該顕微鏡用コントローラを備えた顕微鏡システムに関する。
【背景技術】
【０００２】
従来、顕微鏡に搭載された複数の電子カメラや電動レボルバ等の複数の電動オプション装置を操作するための顕微鏡用コントローラが知られている（例えば、特許文献１参照）。
【先行技術文献】
【特許文献】
【０００３】
【特許文献１】特開平７−１９９０７７号公報
【発明の概要】
【発明が解決しようとする課題】
【０００４】
しかしながら、従来の顕微鏡用コントローラでは、カメラが接続されていない場合の表示部の処理については、何ら手当てがなされていない。
【０００５】
本発明は上記問題点に鑑みてなされたものであり、顕微鏡及びオプション装置の操作が可能で、コントローラに接続されている装置に応じた画面が表示部に表示される、操作性に優れた顕微鏡用コントローラ及び該顕微鏡用コントローラを備えた顕微鏡システムを提供することを課題とする。
【課題を解決するための手段】
【０００６】
上記課題を解決するため、本発明は、電動顕微鏡に接続可能な複数の装置の操作が可能な顕微鏡用コントローラであって、前記装置に含まれるカメラの接続の有無を判定し、カメラが接続されていないときは接続されている前記装置の操作用アイコン及び動作情報の少なくとも一方を表示部に表示する制御手段を有することを特徴とする顕微鏡用コントローラを提供する。
【０００７】
また、本発明は、前記顕微鏡用コントローラを備えた顕微鏡システムを提供する。
【発明の効果】
【０００８】
本発明によれば、顕微鏡及びオプション装置の操作が可能で、コントローラに接続されている装置に応じた画面が表示部に表示される、操作性に優れた顕微鏡用コントローラ及び該顕微鏡用コントローラを備えた顕微鏡システムを提供することができる。
【図面の簡単な説明】
【０００９】
【図１】実施の形態に係る顕微鏡システムの概略構成図である。
【図２】カメラ接続の有無に応じた液晶モニタの表示例を示し、（ａ）はカメラが接続されていない場合の表示例を、（ｂ）はカメラが接続されている場合の表示例をそれぞれ示す。
【図３】手検出手段を示し、（ａ）は手検出手段を備えた顕微鏡用コントローラの正面図を、（ｂ）は顕微鏡用コントローラの近傍に手が位置する場合に、発光部からの信号光が使用者の手により反射されて受光部で受光される状態をそれぞれ示す。
【図４】顕微鏡の接眼レンズを覗いて標本を観察している状態を示し、（ａ）は全体図を、（ｂ）は要部拡大図をそれぞれ示す。
【図５】本顕微鏡用コントローラの液晶モニタの表示例を示す図であり、（ａ）は顕微鏡用コントローラに電動顕微鏡のみが接続されている場合の表示例を、（ｂ）は顕微鏡用コントローラに電動顕微鏡とデジタルカメラが接続されている場合の表示例を、（ｃ）は顕微鏡用コントローラにデジタルカメラのみが接続されている場合の表示例をそれぞれ示す図である。
【図６】顕微鏡用コントローラの制御ルーチンを示すフローチャートである。
【発明を実施するための形態】
【００１０】
以下、本発明の実施形態に係る顕微鏡システムについて図面を参照しつつ詳細に説明する。なお、以下の実施形態は、発明の理解を容易にするためのものに過ぎず、本発明の技術的思想を逸脱しない範囲において当業者により実施可能な付加・置換等を施すことを排除することは意図していない。
【００１１】
はじめに、本実施形態に係る顕微鏡システム１の全体的な構成について説明する。図１に示すように、本実施形態に係る顕微鏡システム１は、電動顕微鏡１０と、電動顕微鏡１０に接続されたデジタルカメラ２０と、これらの操作を制御する顕微鏡用コントローラ３０とから構成されている。顕微鏡用コントローラ３０は、後述する電動顕微鏡１０の動作情報３２ａや操作用アイコン３８等を表示する液晶モニタ３２を備えている。なお、顕微鏡用コントローラ３０には、観察画像を表示するモニタ４０を接続することが可能である。
【００１２】
図１及び図２に示すように、電動顕微鏡１０は、標本３が載置される電動ステージ４を備えたベース部５と、ベース部５から立設された支柱６と、電動ステージ４上の標本３と対向する方向に支柱６から垂直方向に設けられたアーム部７とを有し、アーム部７における標本３と対向する位置には電動レボルバ８ａに取り付けられた対物レンズ８が配置され、アーム部７上には正面斜め上向きに接眼レンズ１１が取り付けられた接眼鏡筒９が配設されている。図２（ｂ）では、接眼鏡筒９のカメラポートにデジタルカメラ２０が接続された例を示している。なお、電動顕微鏡１０には、不図示の電動フィルタターレット等が配設されている。
【００１３】
顕微鏡用コントローラ３０の液晶モニタ３２にはタッチパネルが搭載されている。また、液晶モニタ３２は、使用者が直接指等で触れて操作するための後述する操作用アイコン３８（図５参照）や、デジタルカメラ２０で撮影された顕微鏡画像、顕微鏡用コントローラ３０の不図示のメモリに記録した画像等が表示される。使用者は、これらを重ねて表示することができ、いずれか一つのみを選択的に表示することもできる。操作用アイコン３８は、電動顕微鏡１０を操作するための操作用アイコン３８ａ、デジタルカメラ２０を操作するための操作用アイコン３８ｂ、顕微鏡用コントローラ３０にデジタルカメラ２０のみが接続されている場合に使用する画像操作用アイコン３８ｃの総称であり、３８ａ、３８ｂ、３８ｃはいずれもグラフィカルな複数の操作ボタンからなる。この操作ボタンには、指等で触れることにより対応する機能の操作がすぐに行われるボタンと、指等で触れることにより別ウィンドウが開いて更に操作ボタンが表示される階層構造のものとがある。なお、操作ボタンは、付属のマウスやペンを用いて操作することも可能である。
【００１４】
顕微鏡１０の使用者は、顕微鏡用コントローラ３０の液晶モニタ３２に表示された操作用アイコン３８によって、電動顕微鏡１０の電動レボルバ８ａ等の各電動オプション装置を操作することができる。また、デジタルカメラ２０で撮影された顕微鏡画像を液晶モニタ３２で観察することができる。なお、使用者は、顕微鏡画像をモニタ４０で拡大して観察することができる。
【００１５】
また、本実施形態の顕微鏡システム１は、（１）電動顕微鏡１０及びデジタルカメラ２０の接続の有無に応じて顕微鏡用コントローラ３０の液晶モニタ３２に必要な情報のみを表示するための制御部３１（図２，３参照）、（２）顕微鏡用コントローラ３０の近傍に使用者の手があるか否かを検出するための手検出手段３４（図３参照）、及び（３）電動顕微鏡１０の近傍に使用者の顔面があるか否かを検出するための顔面検出手段１２（図４参照）とを備えている。以下、（１）〜（３）についてそれぞれ説明する。
【００１６】
図２に示すように、本実施形態の顕微鏡用コントローラ３０は、電動顕微鏡１０及びデジタルカメラ２０の接続の有無を検出して、検出結果に応じた画面を液晶モニタ３２に表示する制御部３１を有している。なお、制御部３１は、電動顕微鏡１０内に設けられ顕微鏡用コントローラ３０と接続されていても良い。制御部３１は、電動顕微鏡１０からの信号の有無、デジタルカメラ２０からの垂直同期信号等の信号の有無によって、電動顕微鏡１０とデジタルカメラ２０が顕微鏡用コントローラ３０に接続されているか否かを検出する。例えば、電動顕微鏡１０は接続されているがデジタルカメラ２０が接続されていないことを検出した場合、制御部３１は、図２（ａ）に示すように、電動顕微鏡１０の動作情報３２ａのみを液晶モニタ３２の全面に表示する。また、液晶モニタ３２の表示の切り替えは、後述するように電動顕微鏡１０に設けられたＩＮＦＯボタン５０を押すことにより行う。
【００１７】
なお、電動顕微鏡１０の動作情報３２ａとは、図２（ａ）に示すように、対物レンズや光路切替、コンデンサの状態等を示し、液晶モニタ３２上に文字やアイコンで表示される。また、ＩＮＦＯボタン５０は、顕微鏡用コントローラ３０に設けられていても良い。また、液晶モニタ３２に表示される画面の一部にＩＮＦＯボタンのアイコンが常に操作可能な状態に表示されるようにしても良い。
【００１８】
一方、制御部３１は、図２（ｂ）に示すように、顕微鏡用コントローラ３０に電動顕微鏡１０及びデジタルカメラ２０の両方が接続されていることを検出すると、電動顕微鏡１０の動作情報３２ａ、デジタルカメラ２０の動作情報３２ｂ、電動顕微鏡１０の観察画像３２ｃ、のうち少なくとも一つを液晶モニタ３２に表示する。なお、デジタルカメラ２０の動作情報３２ｂとは、図２（ｂ）に示すように、コントラストや露出補正の状態等を示し、液晶モニタ３２上に文字やアイコンで表示される。電動顕微鏡１０及びデジタルカメラ２０の接続の有無の検出後に液晶モニタ３２に表示される画面は、使用者が予め初期設定メニュー（不図示）で設定できる。図２（ｂ）では、電動顕微鏡１０の観察画像３２ｃとデジタルカメラ２０の動作情報３２ｂとを重ねて表示した例を示している。表示の切替は、後述のようにＩＮＦＯボタン５０を押すことにより行われる。
【００１９】
また、制御部３１は、後述するように、顕微鏡用コントローラ３０にデジタルカメラ２０のみが接続されていることを検出すると、デジタルカメラ２０の動作情報３２ｂと撮影した観察画像３２ｃのうち少なくとも一つを液晶モニタ３２に表示する。
【００２０】
次に、顕微鏡用コントローラ３０の近傍に使用者の手があるか否かを検出するための手検出手段３４について説明する。図３（ａ）に示すように、本顕微鏡用コントローラ３０の液晶モニタ３２を囲む枠部３０ａに、顕微鏡用コントローラ３０の近傍に使用者の手があるか否かを検出するための手検出手段３４が配置されている。手検出手段３４は、赤外線ＬＥＤ（発光部）３５と光電センサ３６（受光部）とからなり、本実施形態では、枠部３０ａの上側に赤外線ＬＥＤ３５を、枠部３０ｂの下側に光電センサ３６をそれぞれ配置した例を示している。なお、赤外線ＬＥＤ３５と光電センサ３６とは一体に設けられていても良い。また、赤外線ＬＥＤ３５及び光電センサ３６の配置位置はこれに限定されず、適宜変更可能である。
【００２１】
このような手検出手段３４では、図３（ｂ）に示すように、使用者の手が顕微鏡用コントローラ３０の近傍（具体的には、光電センサ３６の検出範囲内）に位置すると、手検出手段３４の赤外線ＬＥＤ(発光部)３５から発射された信号光が使用者の手により反射されて光電センサ３６で受光される。制御部３１は、光電センサ３６からの検出信号の出力を取得し、当該検出信号の出力が閾値以上であれば手があると判定する。そして顕微鏡用コントローラ３０の近傍に手があると認識した制御部３１は、後述する電動顕微鏡１０用の操作用アイコン３８ａまたはデジタルカメラ２０用の操作用アイコン３８ｂを、顕微鏡用コントローラ３０の液晶モニタ３２に表示する。このとき表示される操作用アイコン３８ａ、３８ｂは、それぞれ、接続されている電動顕微鏡１０、デジタルカメラ２０を操作するための操作ボタンであって、電動顕微鏡１０及びデジタルカメラ２０の両方が接続されている場合は、初期設定メニューにより使用者が予め選択した電動顕微鏡１０またはデジタルカメラ２０の操作ボタンである。
【００２２】
このように、使用者が顕微鏡用コントローラ３０に手を近づけるだけで電動顕微鏡１０またはデジタルカメラ２０の操作ボタンが表示されるため、使用者は電動顕微鏡１０またはデジタルカメラ２０の操作を容易に行うことができる。なお、操作ボタンは基本的には指でタッチするものであるため、指で触れて反応する程度の大きさを有している。例えば、液晶モニタ３２上での操作ボタン１つの大きさは、１７ｍｍ×１７ｍｍであり、隣り合うボタンとの間隔を２ｍｍとして液晶モニタ３２上に縦横に並べられる。
【００２３】
手検出手段３４を介して制御部３１が顕微鏡用コントローラ３０の近傍に手があると認識して液晶モニタ３２に操作用アイコン３８を表示した後、手検出手段３４を介して制御部３１が顕微鏡用コントローラ３０の近傍に手が無いと認識すると、制御部３１は、予め設定された時間を計測する。当該時間内に制御部３１が顕微鏡用コントローラ３０の近傍に手があると認識しなければ、制御部３１は、手検出手段３４を介して手があると認識する前に液晶モニタ３２に表示していた画面に切り替える。この状態で、さらに予め設定された時間内に手があることが認識されず、且つ使用者による電動顕微鏡１０の操作が行われない場合、制御部３１は液晶モニタ３２のバックライトをオフにする。
【００２４】
制御部３１は、（Ａ）使用者が液晶モニタ３２に触れる、（Ｂ）使用者が電動顕微鏡１０を操作する、（Ｃ）使用者が接眼レンズ１１を覗いて接眼レンズ１１から目を離す、の（Ａ）〜（Ｃ）のいずれかが行われたことを認識して、液晶モニタ３２のバックライトがオフになった状態からバックライトをオンにして復帰する。このような、無操作により液晶モニタ３０のバックライトがオフになった状態からの復帰の設定は、初期設定メニューで上記（Ａ）〜（Ｃ）の中から使用者が適宜選択することができる。例えば、（Ａ）と（Ｂ）の操作のみで復帰すると設定した場合には、（Ｃ）を行っても復帰されず、液晶モニタ３２のバックライトは点灯しない。この場合、後述する顔面検出手段１２の赤外線ＬＥＤ１３と光電センサ１４の回路はオフにされる。なお、赤外線ＬＥＤ３５と光電センサ３６とからなる手検出手段３４は、パルス変調光を採用した変調方式とすることが好ましい。一定周期で発光を繰り返す変調方式とすることにより、外乱光の影響を受けにくくすることができ、手検出手段３４の動作を安定化することができる。
【００２５】
次に、電動顕微鏡１０の近傍に使用者の顔面があるか否かを検出するための顔面検出手段１２について説明する。本実施形態では、図４に示すように、電動顕微鏡１０の接眼レンズ１１における使用者側の端面部分１１ａには、電動顕微鏡１０の近傍に使用者の顔面があるか否かを検出するための顔面検出手段１２が配置されている。顔面検出手段１２は、手検出手段３４と同様に、赤外線ＬＥＤ（発光部）と光電センサ（受光部）とからなり、接眼レンズ１１における使用者側端面１１ａに、赤外線ＬＥＤ１３と光電センサ１４とがそれぞれ配置されている。なお、赤外線ＬＥＤ１３と光電センサ１４とは一体に設けられていても良い。また、双眼式の顕微鏡の場合、顔面検出手段１２は左右両方の接眼レンズ１１に設けられていても良く、すなわち左右のうち少なくともいずれか一方に配置されていれば良い。また、赤外線ＬＥＤ１３及び光電センサ１４の配置位置は接眼鏡筒９中に限定されず、適宜変更可能である。
【００２６】
なお、顔面検出手段１２を介して制御部３１が電動顕微鏡１０の近傍に顔面の有無を認識する原理は、手検出手段３４を介して制御部３１が顕微鏡用コントローラ３０の近傍に手の有無を認識するのと同様であり、ここでは説明を省略する。また、顔面検出手段１２についても、パルス変調光を採用した変調方式とすることが好ましいことは手検出手段３４で述べたのと同様である。
【００２７】
使用者の顔面がアイポイント近傍に到達して光電センサ１４からの検出信号の出力が閾値以上となると、制御部３１はこの出力を取得して電動顕微鏡１０のアイポイント近傍に使用者の顔があることを認識し、液晶モニタ３２のバックライトをオフにする。
【００２８】
一方、制御部３１は、使用者の顔面がアイポイント近傍に無く光電センサ１４からの検出信号の出力が閾値未満の場合、電動顕微鏡１０の近傍に使用者の顔が無いと認識し、液晶モニタ３２のバックライトをオンにする。この状態において、制御部３１は、予め設定された時間内に使用者により何らかの操作（電動顕微鏡１０または顕微鏡用コントローラ３０の操作等を含む）が行われたか否かを判定する。設定時間内に使用者により何らかの操作が行われた場合、液晶モニタ３２のバックライトオンの状態は維持される。他方、制御部３１は、使用者による操作が行われずに設定時間が経過した場合、液晶モニタ３２のバックライトをオフにする。これは、制御部３１が、電動顕微鏡１０の近傍に顔面が無いと認識したために液晶モニタ３２のバックライトをオンにした状態において、所定時間内に使用者が何も操作を行わない場合、制御部３１が液晶モニタ３２のバックライトをオフにして省エネルギーを図るものである。この場合に液晶モニタ３２のバックライトをオフにするまでの所定時間は、初期設定メニューで使用者が適宜設定することができる。
【００２９】
上記のように、制御部３１が液晶モニタ３２のバックライトのオン／オフを制御することにより、電力の消費を抑制することができ、省エネルギーに寄与することができる。なお、制御部３１は、顔面検出手段１２を介した接眼レンズ１１のアイポイント近傍における顔面の有無の判定結果に変化があったときに液晶モニタ３２のバックライトのオン／オフを切り替えるが、この切替は変化があった際に即座に行うのではなく、制御部３１内のタイマーにより所定時間を計測し、所定時間経過後に再度顔面検出手段１２を介して接眼レンズ１１のアイポイント近傍における顔面の有無を判定した後、判定結果に変わりがなければそこではじめてバックライトのオン／オフ切替を行う。このように、接眼レンズ１１のアイポイント近傍における顔面の有無を所定時間経過後に再度判定することで、使用者の意図しない過剰なバックライトのオン／オフ切替を防止することができる。なお、制御部３１は、液晶モニタ３２の電源のオン／オフを制御する構成としても良い。また、制御部３１は、モニタ４０のバックライトのオン／オフ制御あるいはモニタ４０の電源のオン／オフ制御をする構成としても良い。
【００３０】
本実施形態では、上述のように顕微鏡用コントローラ３０は手検出手段３４を有しているので、制御部３１による手検出手段３４を介した顕微鏡用コントローラ３０の近傍における手の有無の判定結果に変化があったときにも、上記顔面検出手段１２について説明したのと同様に、タイマーにより所定時間計測後に再度手の有無を判定し、判定結果に変わりが無ければそこではじめて液晶モニタ３２の表示を切り替えるようにすることが好ましい。このようにすることで、使用者の意図しない液晶モニタ３２の過剰な切替を防止することができる。
【００３１】
次に、ＩＮＦＯボタン５０について説明する。図２、図４に示すように、ＩＮＦＯボタン５０は、ＩＮＦＯ＋ボタン５０ａと、ＩＮＦＯ−ボタン５０ｂとからなる。使用者がＩＮＦＯ＋ボタン５０ａを押す度に、制御部３１は、ＩＮＦＯ＋ボタン５０ａが押されたことを認識して液晶モニタ３２の表示を順送りに切り替える。また、使用者がＩＮＦＯ−ボタン５０ｂを押す度に、制御部３１は、ＩＮＦＯ−ボタン５０ｂが押されたことを認識して液晶モニタ３２の表示を逆送りに切り替える。なお、表示切替のためのボタンはこれに限らず、例えば時計回りと反時計回りの両方に回せるダイアルを設けることにより、順送り及び逆送りが可能な構成としても良い。また、ＩＮＦＯボタンを１つのボタンのみで構成し、ループ状の順送りのみが可能な構成としても良い。
【００３２】
ＩＮＦＯボタン５０で指定した状態をリセットする操作は、初期設定メニューで使用者が選択することができる。例えば、接眼レンズ１１を覗くことでリセットされる設定とした場合について説明する。電動顕微鏡１０にデジタルカメラ２０を接続して観察している際、ＩＮＦＯボタン５０を数回押したことにより液晶モニタ３２には観察画像３２ｃとデジタルカメラ２０の操作用アイコン３８ｂが重ねて表示されているとする（例えば、図５（ｂ）の（iii）参照）。ここで、使用者が接眼レンズ１１を覗くと、顔面検出手段１２を介して制御部３１が電動顕微鏡１０の近傍に顔面があると認識し、液晶モニタ３２のバックライトをオフにすると共にＩＮＦＯボタン５０で選択した状態はここでリセットされる。使用者が接眼レンズ１１から目を離すと顔面検出手段１２を介して制御部３１が電動顕微鏡１０の近傍に顔面が無いことを認識し、液晶モニタ３２のバックライトをオンにする。このときの液晶モニタ３２には、初期設定メニューで使用者が予め選択した画像が表示される（例えば電動顕微鏡１０の観察画像３２ｃのみの全面表示等）。
【００３３】
次に、図５を参照しつつ、本顕微鏡用コントローラ３０の液晶モニタ３２の表示例について説明する。
【００３４】
図５（ａ）に示す、顕微鏡用コントローラ３０に電動顕微鏡１０のみが接続されている場合の表示例について説明する。
【００３５】
図５（ａ）（i）に示すように、使用者が接眼レンズ１１を覗いて観察している間は、顔面検出手段１２を介して制御部３１が電動顕微鏡１０の近傍に使用者の顔面があると認識しているため、上述のように顕微鏡用コントローラ３０の液晶モニタ３２のバックライトはオフになっている。
【００３６】
図５（ａ）（i）において、使用者が接眼レンズ１１から目を離した際、制御部３１は、顔面検出手段１２を介して電動顕微鏡１０の近傍に顔面が無いと認識し、図５（ａ）（ii）に示すように、顕微鏡用コントローラ３０の液晶モニタ３２のバックライトをオンにする。また、制御部３１は、顕微鏡用コントローラ３０に電動顕微鏡１０のみが接続されていることを検出して、液晶モニタ３２の全面に、電動顕微鏡１０の動作情報３２ａを表示する。
【００３７】
図５（ａ）（ii）において、使用者が電動顕微鏡１０の操作等のために顕微鏡用コントローラ３０に手を伸ばすと、制御部３１は、手検出手段３４を介して顕微鏡用コントローラ３０の近傍に手があることを認識し、図５（ａ）（iii）に示すように、液晶モニタ３２の全面に電動顕微鏡１０用の操作用アイコン３８ａを表示する。なお、制御部３１が手検出手段３４を介して手があることを認識したときに液晶モニタ３２に表示する画面は、初期設定メニューで使用者が適宜選択することができる。図５（ａ）（iii）では、手検出後の表示として電動顕微鏡１０用の操作用アイコン３８ａの全面表示を初期設定メニューで選択した例を示している。
【００３８】
また、本実施の形態では、使用者がＩＮＦＯ＋ボタン５０ａを押すことによっても、図５（ａ）（ii）の画面から図５（ａ）（iii）の画面へ切り替えることができる。また、図５（ａ）（iii）の画面からは、使用者がＩＮＦＯ−ボタン５０ｂを押すことにより、図５（ａ）（ii）の画面へと切り替えることができる。
【００３９】
図５（ａ）（iii）において、使用者がＩＮＦＯ＋ボタン５０ａを押すと、図５（ａ）（iv）に示すように、制御部３１は、電動顕微鏡１０用の操作用アイコン３８と電動顕微鏡１０の動作情報３２ａの２つを液晶モニタ３２に表示する。
【００４０】
図５（ａ）（iv）において、再度ＩＮＦＯボタン＋５０ａを押すことで、電動顕微鏡１０の動作情報３２ａが液晶モニタ３２の全面に表示され、図５（ａ）（ii）の状態に戻る。また、図５（ａ）（iv）において、ＩＮＦＯ−ボタン５０ｂを押すと、液晶モニタ３２の全面に電動顕微鏡１０用の操作用アイコン３８ａが表示され、図５（ａ）（iii）の状態に戻る。
【００４１】
図５（ａ）中、液晶モニタ３２のバックライトがオンになった（ii）（iii）（iv）の各状態において、予め設定された時間内に使用者により何らかの操作（電動顕微鏡１０または顕微鏡用コントローラ３０の操作等を含む）が行われない場合、制御部３１は、図５（ａ）（i）に示すように、液晶モニタ３２のバックライトをオフにして省エネルギーを図る。液晶モニタ３２のバックライトがオフになった状態からは、（Ａ）使用者が液晶モニタ３２に触れる、（Ｂ）使用者が電動顕微鏡１０を操作する、（Ｃ）使用者が接眼レンズ１１を覗いて接眼レンズ１１から目を離す、の（Ａ）〜（Ｃ）のいずれかを行うことで、制御部３１がこれを認識して、液晶モニタ３２のバックライトをオンにして、バックライトをオフする前の状態に復帰する。このような、無操作により液晶モニタ３０のバックライトがオフになった状態からの復帰の設定は、初期設定メニューで上記（Ａ）〜（Ｃ）の中から使用者が適宜選択することができる。なお、以下に述べる図５（ｂ）及び（ｃ）における液晶モニタ３２のバックライトがオンになった各状態からも同様に、予め設定された時間内に使用者により何らかの操作（電動顕微鏡１０または顕微鏡用コントローラ３０の操作等を含む）が行われない場合、制御部３１は省エネルギーのために上記のように液晶モニタ３２のバックライトをオンからオフにし、その後、オフからオンに復帰する処理を行う。
【００４２】
次に、図５（ｂ）を参照しつつ顕微鏡用コントローラ３０に電動顕微鏡１０とデジタルカメラ２０とが接続されている場合の表示例について説明する。
【００４３】
図５（ｂ）（i）に示すように、使用者が接眼レンズ１１を覗いて観察している間は、上述のように、液晶モニタ３２のバックライトはオフになっている。
【００４４】
図５（ｂ）（i）において、使用者が接眼レンズ１１から目を離した際、制御部３１は、顔面検出手段１２を介して電動顕微鏡１０の近傍に顔面が無いと認識し、図５（ｂ）（ii）に示すように、液晶モニタ３２のバックライトをオンにする。また、制御部３１は、垂直同期信号等の入力があるために顕微鏡用コントローラ３０に電動顕微鏡１０とデジタルカメラ２０とが接続されていることを検出し、液晶モニタ３２の全面に、デジタルカメラ２０で取得している電動顕微鏡１０の観察画像３２ｃを表示する。
【００４５】
図５（ｂ）（ii）において、使用者が電動顕微鏡１０の操作等のために顕微鏡用コントローラ３０に手を伸ばすと、制御部３１は、手検出手段３４を介して顕微鏡用コントローラ３０の近傍に手があることを認識し、図５（ｂ）（iii）に示すように、液晶モニタ３２の表示を、観察画像３２ｃ上にデジタルカメラ２０用の操作用アイコン３８ｂが重ねて配置された表示に切り替える。なお、使用者がＩＮＦＯ＋ボタン５０ａを押すことによっても、図５（ｂ）（ii）の画面から図５（ｂ）（iii）の画面へ切り替えることができる。
【００４６】
図５（ｂ）（iii）において、使用者がＩＮＦＯ＋ボタン５０ａを押すことで、図５（ｂ）（iv）に示すように、制御部３１は、観察画像３２ｃ上に電動顕微鏡１０用の操作用アイコン３８ａが重ねて配置された表示に切り替える。また、図５（ｂ）（iii）において、使用者がＩＮＦＯ−ボタン５０ｂを押すことで、液晶モニタ３２の全面に観察画像３２ｃが表示され、図５（ｂ）（ii）の状態に戻る。
【００４７】
図５（ｂ）（iv）において、ＩＮＦＯ＋ボタン５０ａを押すことにより、図５（ｂ）（v）に示すように、制御部３１は、観察画像３２ｃ上に電動顕微鏡１０の動作情報３２ａが重ねて配置された表示に切り替える。図５（ｂ）（iv）において、ＩＮＦＯ−ボタン５０ｂを押すと、観察画像３２ｃ上にデジタルカメラ２０用の操作用アイコン３８ｂが重ねて表示され、図５（ｂ）（iii）の状態に戻る。
【００４８】
図５（ｂ）（v）において、ＩＮＦＯ＋ボタン５０ａを押すと、観察画像３２ｃのみが表示された状態（図５（ｂ）（ii））に戻り、電動顕微鏡１０やデジタルカメラ２０の設定を変更した後や動作状態を確認した後に、液晶モニタ３２全体で観察画像を確認することができる。また、図５（ｂ）（v）において、ＩＮＦＯ−ボタン５０ｂを押すと、観察画像３２ｃ上に電動顕微鏡１０用の操作用アイコン３８ａが重ねて配置された表示（図５（ｂ）（iv））に戻る。
【００４９】
なお、図５（ｂ）の各表示例において、操作用アイコン３８や電動顕微鏡１０の動作情報３２ａが表示されているような場合、液晶モニタ３２上の所定の箇所に触れる等することで、操作用アイコン３８や電動顕微鏡１０の動作情報３２ａ等のいずれかを液晶モニタ３２の全面に表示する構成としても良い。
【００５０】
次に、図５（ｃ）を参照しつつ、顕微鏡用コントローラ３０にデジタルカメラ２０のみが接続されている場合の液晶モニタ３２の表示例について説明する。
【００５１】
図５（ｃ）（i）に示すように、制御部３１は、電動顕微鏡１０からの信号がないことから顕微鏡用コントローラ３０に電動顕微鏡１０が接続されていないことを検出し、また、垂直同期信号の入力があることから、デジタルカメラ２０が接続されていることを検出する。この検出結果に基づき、制御部３１は、顕微鏡用コントローラ３０の不図示のメモリまたは外部メモリ（ＵＳＢやＨＤＤ等、不図示）に記録した電動顕微鏡１０の観察画像３２ｃ上に、観察画像３２ｃを取得した時のデジタルカメラ２０の動作情報３２ｂを重ねて液晶モニタ３２に表示する。
【００５２】
図５（ｃ）（i）において、使用者が観察画像３２ｃの操作等のために顕微鏡用コントローラ３０に手を伸ばすと、制御部３１は、手検出手段３４を介して顕微鏡用コントローラ３０の近傍に手があることを認識し、図５（ｃ）（ii）に示すように、液晶モニタ３２の表示を、観察画像３２ｃ上に画像操作用アイコン３８ｃが重ねて配置された表示に切り替える。この際、液晶モニタ３２上には、ＩＮＦＯ＋ボタン５０ｃ、ＩＮＦＯ−ボタン５０ｄが表示される。使用者は、観察画像３２ｃを確認しながら画像操作用アイコン３８ｃにより画像のコントラスト、色彩等の補正あるいは、画像の拡大、縮小等を行うことができる。
【００５３】
図５（ｃ）（ii）において、使用者が液晶モニタ３２上のＩＮＦＯ＋ボタン５０ｃを指等で触れることにより、図５（ｃ）（iii）に示すように、制御部３１は、液晶モニタ３２の全面に画像操作用アイコン３８ｃを表示する。また、図５（ｃ）（ii）において、使用者がＩＮＦＯ−ボタン５０ｄを指等で触れることにより、制御部３１は、観察画像３２ｃ上に観察画像３２ｃ取得時のデジタルカメラ２０の動作情報３２ｂを重ねて液晶モニタ３２に表示し、図５（ｃ）（i）の状態に戻る。
【００５４】
本実施形態では、このように、デジタルカメラ２０のみが顕微鏡用コントローラ３０に接続されている場合、デジタルカメラ２０のみが接続されていることを認識した制御部３１は、液晶モニタ３２の表示の切替を行うためのＩＮＦＯ＋ボタン５０ｃとＩＮＦＯ−ボタン５０ｄとを液晶モニタ３２上の所定の場所に表示する（図５（ｃ）（ii）〜（iv）参照）。使用者は、液晶モニタ３２上のＩＮＦＯ＋ボタン５０ｃまたはＩＮＦＯ−ボタン５０ｄに指等で触れることにより、液晶モニタ３２の表示を順送りまたは逆送りに切り替えることができる。なお、ＩＮＦＯ＋ボタン５０ｃとＩＮＦＯ−ボタン５０ｄは液晶モニタ３２上に設置するのみに限定されず、例えば顕微鏡用コントローラ３０の側部等に設けても良い。
【００５５】
図５（ｃ）（iii）において、使用者がＩＮＦＯ＋ボタン５０ｃに指等で触れることで、図５（ｃ）（iv）に示すように、制御部３１は、顕微鏡用コントローラ３０の不図示のメモリまたは外部メモリに記録した電動顕微鏡１０の観察画像３２ｃを液晶モニタ３２の全面に表示する。また、図５（ｃ）（iii）において、使用者がＩＮＦＯ−ボタン５０ｄに触れることで、観察画像３２ｃ上に画像操作用アイコン３８ｃを重ねて表示し、図５（ｃ）（ii）の状態に戻る。
【００５６】
図５（ｃ）（iv）において、使用者がＩＮＦＯ＋ボタン５０ｃに触れると、液晶モニタ３２の表示は観察画像３２ｃ上にデジタルカメラ２０の動作情報３２ｂが重ねて配置された表示（図５（ｃ）（i））に戻る。また、図５（ｃ）（iv）において、ＩＮＦＯ−ボタン５０ｄに触れると、液晶モニタ３２の全面に画像操作用アイコン３８ｃが表示された状態（図５（ｃ）（iii））に戻る。
【００５７】
図５（ｃ）（ii）及び（iii）の各状態において、ＩＮＦＯ＋ボタン５０ｃとＩＮＦＯ−ボタン５０ｄとに同時に触れると、制御部３１は、観察画像３２ｃを液晶モニタ３２の全面に表示し、図５（ｃ）（iv）で示す状態になる。なお、ＩＮＦＯ＋ボタン５０ｃとＩＮＦＯ−ボタン５０ｄとに同時に触れた場合の表示は観察画像３２ｃに限定されず、初期設定メニューで設定できる。
【００５８】
また、図５（ｃ）（iv）の状態においてＩＮＦＯ＋ボタン５０ｃとＩＮＦＯ−ボタン５０ｄとに同時に触れると、制御部３１は、図５（ｃ）（iv）の直前の状態に戻り液晶モニタ３２の全面に画像操作用アイコン３８ｃを表示する（図５（ｃ）（iii）の状態）、または初期設定メニューで使用者が設定した画面を表示する。直前の画面と初期設定メニューで使用者が設定した画面のいずれが表示されるかは、使用者が初期設定メニューで設定できる。なお、図５（ａ）、（ｂ）の各状態においても、ＩＮＦＯ＋ボタン５０ａとＩＮＦＯ−ボタン５０ｂとを同時に押すことで、使用者が初期設定メニューで設定した所望の画面を表示することができる構成としても良い。
【００５９】
なお、以上の図５（ａ）〜（ｃ）の各表示例において、液晶モニタ３２の表示の切り替えは、例えばＩＮＦＯ＋ボタン５０ａ（図５（ｃ）については５０ｃ）またはＩＮＦＯ−ボタン５０ｂ（図５（ｃ）については５０ｄ）を数回押さずとも所望の画面がすぐ表示されるように、一部の画面をスキップしてすぐに所望の画面が表示される設定としても良い。
【００６０】
以上の表示例で示したように、本顕微鏡用コントローラ３０は、顔面検出手段１２を介して制御部３１が電動顕微鏡１０のアイポイント近傍に顔面が無いと認識した際に液晶モニタ３２に表示する画面を初期設定メニューで選択することができる。また、本顕微鏡用コントローラ３０は、手検出手段３４を介して制御部３１が顕微鏡用コントローラ３０の近傍に手があると認識した場合に液晶モニタ３２に表示する画面、及び手検出後に液晶モニタ３２に表示された画面からＩＮＦＯボタン５０を押して切替可能な画面を初期設定メニューで選択することができる。また、手検出後に液晶モニタ３２に表示された画面からＩＮＦＯボタン５０を押すことにより切り替えられる画面の表示の順序を設定することができる。
【００６１】
例えば、顕微鏡用コントローラ３０に電動顕微鏡１０とデジタルカメラ２０とが接続されている場合、顔面検出手段１２を介して制御部３１が電動顕微鏡１０のアイポイント近傍に顔面が無いと認識した際に液晶モニタ３２に表示する画面として、初期設定メニューで（ａ）観察画像３２ｃ上に電動顕微鏡１０の動作情報３２ａを重ねて表示する状態を選択する。また、手検出手段３４を介して制御部３１が顕微鏡用コントローラ３０の近傍に手があると認識した場合に液晶モニタ３２に表示する画面として、（ｂ）観察画像３２ｃ上に電動顕微鏡１０の操作用アイコン３８ａを重ねて表示する状態を選択する。また、（ｂ）が液晶モニタ３２に表示された状態からＩＮＦＯボタン５０を押して切替可能な画面として、（ｃ）観察画像３２ｃ上にデジタルカメラ２０の操作用アイコン３８ｂを重ねた表示、（ｄ）観察画像３２ｃのみの全面表示、（ｅ）電動顕微鏡１０の操作用アイコン３８ａのみの全面表示を選択し、手検出及びＩＮＦＯボタン５０により（ａ）〜（ｅ）の順序で切替可能と設定する。このように、本顕微鏡用コントローラ３０は、顕微鏡用コントローラ３０に接続されている装置に応じた画面を液晶モニタ３２に表示でき、操作性に優れた顕微鏡用コントローラ３０を実現することができる。
【００６２】
次に、図６を参照しつつ、制御部３１が顕微鏡用コントローラ３０に対する電動顕微鏡１０とデジタルカメラ２０の接続の有無を判別して液晶モニタ３２の表示を切り替える制御ルーチンについて説明する。
【００６３】
ステップＳ１：制御部３１は、顔面検出手段１２の光電センサ１４からの検出信号の出力を取得し、当該出力が閾値未満であることを認識して液晶モニタ３２のバックライトをオンにする。
【００６４】
ステップＳ２：制御部３１は、顕微鏡用コントローラ３０に対する各装置の接続状態を検出する。
【００６５】
ステップＳ３：制御部３１は、デジタルカメラ２０が接続されているか否かを検出する。デジタルカメラ２０が接続されている場合、ステップＳ４へ進む。デジタルカメラ２０が接続されていない場合、ステップＳ１１へ進む。
【００６６】
ステップＳ４：制御部３１は、電動顕微鏡１０が接続されているか否かを検出する。電動顕微鏡１０が接続されている場合、ステップＳ５へ進む。電動顕微鏡１０が接続されていない場合、ステップＳ８へ進む。
【００６７】
ステップＳ５：制御部３１は、電動顕微鏡１０の動作情報３２ａ、デジタルカメラ２０の動作情報３２ｂ、電動顕微鏡１０の観察画像３２ｃ、のうち少なくとも一つ（使用者が初期設定メニューで予め設定した画面）を液晶モニタ３２に表示する。なお、このとき液晶モニタ３２に顕微鏡用コントローラ３０のコントローラ設定情報も表示しても良い。コントローラ設定情報とは、表示言語の情報（日本語表示または英語表示）や、顔面検出手段１２と手検出手段３４を介して制御部３１がそれぞれ顔と手の存在を認識したときに表示する画面の設定情報などである。使用者は、各設定情報に触れる等することで、設定を変更することができる。この状態で使用者が顕微鏡用コントローラ３０に手を伸ばすことで、ステップＳ６へ進む。
【００６８】
ステップＳ６：使用者が顕微鏡用コントローラ３０に手を伸ばし、制御部３１が手検出手段３４を介して顕微鏡用コントローラ３０の近傍に手があることを認識する。
【００６９】
ステップＳ７：制御部３１は、光電センサ３６の検出信号の出力が閾値以上であることを認識して顕微鏡用コントローラ３０の近傍に手があると認識すると、デジタルカメラ２０用の操作用アイコン３８ｂまたは電動顕微鏡１０用の操作用アイコン３８ａ（使用者が初期設定メニューで予め設定した画面）を液晶モニタ３２に表示する。使用者が初期設定メニューで予め設定していれば、顕微鏡観察画像３２ｃも重ねて表示される。表示された画像を切り替える場合、ステップＳ１６へ進む。
【００７０】
ステップＳ８：制御部３１は、観察画像３２ｃ取得時のデジタルカメラ２０の動作情報３２ｂ、及び顕微鏡用コントローラ３０の不図示のメモリまたは外部メモリに記録した電動顕微鏡１０の観察画像３２ｃのうち、少なくとも一つ（使用者が初期設定メニューで予め設定した画面）を液晶モニタ３２に表示する。なお、このとき顕微鏡用コントローラ３０のコントローラ設定情報を表示しても良い。この状態で使用者が顕微鏡用コントローラ３０に手を伸ばすことで、ステップＳ９へ進む。
【００７１】
ステップＳ９：使用者が顕微鏡用コントローラ３０に手を伸ばし、制御部３１が手検出手段３４を介して顕微鏡用コントローラ３０の近傍に手があることを認識する。
【００７２】
ステップＳ１０：制御部３１は、光電センサ３６の検出信号の出力が閾値以上であることを認識して顕微鏡用コントローラ３０の近傍に手があると認識すると、画像操作用アイコン３８ｃを液晶モニタ３２に表示する。使用者が初期設定メニューで予め設定していれば、観察画像３２ｃも重ねて表示される。表示された画像を切り替える場合、ステップＳ１６へ進む。
【００７３】
ステップＳ１１：制御部３１は、電動顕微鏡１０が接続されているか否かを検出する。電動顕微鏡１０が接続されている場合、ステップＳ１２へ進む。電動顕微鏡１０が接続されていない場合、ステップＳ１５へ進む。
【００７４】
ステップＳ１２：制御部３１は、電動顕微鏡１０の動作情報３２ａを液晶モニタ３２の全面に表示する。また、このとき顕微鏡用コントローラ３０のコントローラ設定情報を表示しても良い。この状態で使用者が顕微鏡用コントローラ３０に手を伸ばすことで、ステップＳ１３へ進む。
【００７５】
ステップＳ１３：使用者が顕微鏡用コントローラ３０に手を伸ばし、制御部３１が手検出手段３４を介して顕微鏡用コントローラ３０の近傍に手があることを認識する。
【００７６】
ステップＳ１４：制御部３１は、光電センサ３６の検出信号の出力が閾値以上であることを認識して顕微鏡用コントローラ３０の近傍に手があると認識すると、電動顕微鏡１０用の操作用アイコン３８ａを液晶モニタ３２に表示する。なお、使用者が初期設定メニューで予め設定していれば、電動顕微鏡１０の動作情報３２ａも表示される。表示された画像を切り替える場合、ステップＳ１６へ進む。
【００７７】
ステップＳ１５：制御部３１は、デジタルカメラ２０及び電動顕微鏡１０の両方が接続されていないことを検出し、液晶モニタ３２にエラー表示をする。（終了）
【００７８】
ステップＳ１６：使用者がＩＮＦＯ＋ボタン５０ａ、５０ｃまたはＩＮＦＯ−ボタン５０ｂ、５０ｄを押すことで、制御部３１はＩＮＦＯ＋ボタン５０ａ、５０ｃまたはＩＮＦＯ−ボタン５０ｂ、５０ｄが押されたことを認識して、液晶モニタ３２の表示を順送りまたは逆送りに切り替える。以上で、制御部３１がデジタルカメラ２０の接続の有無を検出して液晶モニタ３２の表示を切り替える制御ルーチンを終了する。
【００７９】
以上のように、制御部３１は、電動顕微鏡１０とデジタルカメラ２０の接続の有無を判別して液晶モニタ３２の表示切替を制御する。なお、顕微鏡用コントローラ３０に電動顕微鏡１０のみが接続された状態において途中でデジタルカメラ２０を接続した場合、またはデジタルカメラ２０のみが接続された状態において途中で電動顕微鏡１０を接続した場合は、いずれもステップＳ２を再度実行する。また、ＩＮＦＯボタン５０を押して所望の内容が液晶モニタ３２に表示された状態からは、上述のように、使用者が接眼レンズ１１を覗くことで顔面検出手段１２を介して制御部３１が電動顕微鏡１０の近傍に顔面があることを認識し、液晶モニタ３２のバックライトをオフにする。あるいは、使用者により液晶モニタ３２の操作が何も行われない場合で、且つ顔面検出手段１２を介して制御部３１が電動顕微鏡１０の近傍に顔面があることを認識しない場合、上述のように、制御部３１は所定時間（予め初期設定メニューで設定された時間）を計測し、当該所定時間内に何らの操作も行われない場合には液晶モニタ３２のバックライトをオフにする。この状態からは、上述のように、使用者が液晶モニタ３２に触れる等、使用者が初期設定メニューで選択した復帰設定が行われることで復帰する。
【００８０】
以上説明したように、制御部３１がデジタルカメラ２０及び電動顕微鏡１０の有無に応じた画面を液晶モニタ３２に表示することができるため、顕微鏡用コントローラ３０の操作性を向上することができる。なお、上記実施形態では、顕微鏡用コントローラ３０に対する電動顕微鏡１０とデジタルカメラ２０の接続の有無を例に説明したが、電動顕微鏡１０に接続可能な他の装置の接続の有無を検出して表示切替をすることも可能である。また、手検出手段３４を備えているため、顕微鏡用コントローラ３０の操作性をより向上することができる。
【００８１】
なお、上記実施形態において、操作用アイコン３８のうち該当するボタンをタッチする、またはＩＮＦＯ＋ボタン５０ａとＩＮＦＯ−ボタン５０ｂ（あるいはＩＮＦＯ＋ボタン５０ｃとＩＮＦＯ−ボタン５０ｄ）とを同時に押すことで、液晶モニタ３２に操作用アイコン３８が表示された状態から操作用アイコン３８の表示をすぐに消せるように構成しても良い。なお、ＩＮＦＯボタンを１つのボタンのみで構成した場合は、ＩＮＦＯボタンをすばやく２回押すことで、操作用アイコン３８の表示を消す構成とすることができる。
【００８２】
また、液晶モニタ３２を指等でタッチする、手検出手段３４を介して制御部３１が顕微鏡用コントローラ３０の近傍に手を認識する、及びＩＮＦＯ＋ボタン５０ａとＩＮＦＯ−ボタン５０ｂ（あるいはＩＮＦＯ＋ボタン５０ｃとＩＮＦＯ−ボタン５０ｄ）とを同時に押す、のうちいずれかが行われることで、操作用アイコン３８が表示されていない状態から、すぐに操作用アイコン３８を表示する構成としても良い。なお、ＩＮＦＯボタンを１つのボタンのみで構成した場合は、ＩＮＦＯボタンをすばやく２回押すことで、操作用アイコン３８を表示する構成とすることができる。
【００８３】
本実施形態によれば、顕微鏡に接続された装置の操作が可能で、コントローラに接続されている装置に応じた画面が表示部に表示される、操作性に優れた顕微鏡用コントローラを実現することができる。
【符号の説明】
【００８４】
１    顕微鏡システム
９    接眼鏡筒
１０  電動顕微鏡
１１  接眼レンズ
１２  顔面検出手段
１３  赤外線ＬＥＤ（発光部）（顔面検出手段）
１４  光電センサ（受光部）（顔面検出手段）
２０  デジタルカメラ
３０  顕微鏡用コントローラ
３１  制御部
３２  液晶モニタ
３２ａ  電動顕微鏡の動作情報
３２ｂ  デジタルカメラの動作情報
３２ｃ  観察画像
３４  手検出手段
３５  赤外線ＬＥＤ（発光部）（手検出手段）
３６  光電センサ（受光部）（手検出手段）
３８  操作用アイコン
３８ａ  電動顕微鏡の操作用アイコン
３８ｂ  デジタルカメラの操作用アイコン
３８ｃ  画像操作用アイコン
４０  モニタ
５０  ＩＮＦＯボタン
５０ａ、５０ｃ  ＩＮＦＯ＋ボタン
５０ｂ、５０ｄ  ＩＮＦＯ−ボタン
【図１】
2011150192.tif 000003
【図２】
2011150192.tif 000004
【図３】
2011150192.tif 000005
【図４】
2011150192.tif 000006
【図５】
2011150192.tif 000007
【図６】
2011150192.tif 000008